(57)【要約】【課題】  各動作モードの出画内容に応じた良好な表示が可能となる。【解決手段】  カメラモード、カード動画モード、カード静止画モード、そして、再生モードなどの各動作モードの出画タイミングに応じて映像表示部の光源の点灯時間を制御する。【選択図】  図２
2006165648.tif 000002
【特許請求の範囲】
【請求項１】
映像信号を表示する映像表示部を備え、複数の動作モードで動作可能な記録再生装置であって、
動作モードに応じて前記映像表示部の光源の点灯時間を制御することを特徴とする記録再生装置。
【請求項２】
前記複数の動作モードは、テープに映像を記録を行うカメラモード、メモリカードに動画を記録するカード動画モード、メモリカードに静止画を記録するカード静止画モード、及び映像を再生する再生モードのうち、少なくとも２つを含むことを特徴とする請求項１記載の記録再生装置。
【請求項３】
前記光源は白色ＬＥＤまたは、冷陰極管であることを特徴とする請求項１または２に記載の記録再生装置。
【請求項４】
映像信号を表示する映像表示部を備え、複数の動作モードで動作可能な記録再生装置の表示制御方法であって、
動作モードに応じて前記映像表示部の光源の点灯時間を制御することを特徴とする記録再生装置の表示制御方法。
【発明の詳細な説明】
【技術分野】
【０００１】
本発明は、映像信号を表示する映像表示部を備え、複数の動作モードで動作可能な記録再生装置及び記録再生装置の表示制御方法に関するものである。
【背景技術】
【０００２】
従来より、映像表示部を備え、複数の動作モードで動作可能なビデオカメラ等記録再生装置が知られており、この種の装置は、例えば、撮影した動画をテープに記録するカメラモード、撮影した動画をＣＦ或いはＳＤカード等メモリカードに記録するカード動画モード、撮影した静止画を上記メモリカードに記録するカード静止画モード、そして、テープやカードに記録された内容を再生する再生モードなどを有している。カメラモードにおいては電源スイッチをＯＮしてからレンズのリセット、撮像素子のキズ補正、ＡＦやＡＥなどのデータの初期化などを行った後に、映像信号の映像表示部に対する映像出画が行われる。これに対して再生モードでは、無信号処理、ブルーバック処理に加え、画面表示文字や例えばテープマークのアイコンなどの表示文字処理が行われた後に映像出画が行われる。また、テープが本体に装着されている場合には前記処理以外にテープ制御処理などが行われた後に映像出画が行われる。したがって、装置の各動作モードに応じて映像表示部に出画される時間は異なるものとなる。一方、映像表示部は、各動作モードの出画時間のなかで最も遅い動作モードの出画時間に合わせて、光源の点灯タイミングを制御しているため、各動作モードとも電源ＯＮを基準とした光源の点灯タイミングはすべて同じになる。
【０００３】
以下、図４を用いて、従来の各動作モードにおける出画タイミングと表示部の表示タイミングの関係を説明する。図４（ａ）は、カメラモード時のオープニング設定した場合の出画タイミングである。カメラ電源ＯＮしてからレンズ処理、撮像素子のキズ補正、ＡＦ、ＡＥなどのデータ初期化などの処理を無信号の間に行い、処理後にオープニング画像のカメラ出画となる。ここで、無信号期間とは情報をもたない信号を映像表示部に出力している状態であり、オープニング画像とは、メーカーロゴ画像等、その後表示される撮像映像とは異なる画像を出力している状態である。図４（ｂ）は、カード動画モードでのオープニング設定した場合の出画タイミングである。オープニング画面中にカードの処理を行いカード記録スタンバイ状態になると表示などで知らせる。
【０００４】
図４（ｃ）は、カメラモード時のオープニング設定してない場合の出画タイミングチャートである。図４（ｄ）は、カード動画モードでのオープニング設定してない場合の出画タイミングチャートである。図４（ｅ）は、テープ再生モードの出画タイミングチャートである。図４（ｆ）は、カード再生モードの出画タイミングチャートである。図４（ｇ）は、各動作モードに対してバックライト点灯時間ｄに設定して、各動作モードの出画が液晶表示に出画される表示タイミングを示すものである。このバックライト点灯期間では、本体側からの出画映像ではなく映像表示部側で生成した映像信号が表示される期間である。図４（ｈ）は、カメラや再生などの電源タイミングチャートである。図４（ｉ）は、液晶の電源タイミングチャートで、電源がＯＮしたタイミングからバックライトの点灯タイミングを設定する。
【０００５】
図４（ｇ）に示すように映像表示部は、光源の点灯時間を各動作モードに関係なく、予め設定した時間ｄで点灯を行う。例えば、映像表示部が有する液晶の視認性を改善するために、液晶の立ち上がり特性に応じた液晶表示変化に合わせて、バックライトの点灯時間を制御することができる（特許文献１参照）。
【特許文献１】特開平１１−１４３３８９号公報
【発明の開示】
【発明が解決しようとする課題】
【０００６】
このように、映像表示部を設けた記録再生装置において、各動作モードで映像表示部への出画時間が異なっており、一方で、映像表示部の光源の点灯時間は、各動作モードに関係なく、出画時間が最も遅い動作モードの出画時間に合わせて制御するよう構成していた。
【０００７】
しかしながら、出画時間が最も遅いとされる動作モード以外の動作モードでは、本来出画されることが可能なタイミングよりも遅いタイミングで画像を表示することとなるので、電源投入後すぐに利用したいという操作者の要望の妨げとなり、不快感を感じさせる要因となっていた。
【０００８】
本発明は、上述した問題点を解決するためのものであり、各動作モードの出画内容に応じた良好な表示が可能となる記録再生装置及び記録再生装置の表示制御方法を提供することを目的とする。
【課題を解決するための手段】
【０００９】
上記目的を達成するために、本発明の記録再生装置は、映像信号を表示する映像表示部を備え、複数の動作モードで動作可能な記録再生装置であって、動作モードに応じて前記映像表示部の光源の点灯時間を制御することを特徴とする。
【００１０】
また、本発明の記録再生装置の表示制御方法は、映像信号を表示する映像表示部を備え、複数の動作モードで動作可能な記録再生装置の表示制御方法であって、動作モードに応じて前記映像表示部の光源の点灯時間を制御することを特徴とする。
【発明の効果】
【００１１】
本発明によれば、例えば動作モードごとに出画完了の制御を受けること等により、各動作モードに対応した映像表示部の光源点灯時間を制御することが出来るようになる。これにより、映像表示部の画面に本来出画することが可能なタイミングで画像を表示可能となり、操作者にとっての使い勝手が向上する。
【発明を実施するための最良の形態】
【００１２】
以下、図面を参照して本発明の実施の形態を説明する。
【００１３】
図１は、本発明の実施の形態におけるビデオカメラの構成を示すブロック図である。図１において、レンズ部１０１は、被写体像を入光するためのものであり、撮像素子１０２は、レンズ１０１から入光した被写体像を光電変換する。カメラ信号処理部１０３は、撮像素子１０２からの出力信号をＡ／Ｄ変換し、マトリックス処理することによって輝度信号および色差信号を生成し、ガンマ処理等の信号処理が行われる。
【００１４】
映像信号処理部１０４は、カメラ信号処理部１０３、または、外部入力（不図示）からの映像信号を所定のフォーマットに変換し、変換された映像を圧縮処理する。また、カメラ信号処理部１０３、外部入力、及び記憶媒体等から入力された映像信号から表示部に表示させるための信号を生成する。
【００１５】
カード記録再生部１１１は、映像信号処理部１０４により生成された映像を、ＣＦ及びＳＤカード等に記録し、記憶した映像を映像信号処理部１０４に出力する。テープ記録再生部１１２は、映像信号処理部１０４により生成された映像を、テープに記録し、記憶した映像を映像信号処理部１０４に出力する。
【００１６】
大型液晶表示部１０６は、表示駆動部１０６ａ、大型液晶１０６ｂ及び大型液晶１０６ａの背面から光を照射するためのバックライト１０６ｃによって構成され、表示駆動部１０６ａには、映像信号処理部１０４によって生成された信号に基づく撮像素子１０２によって撮像された画像が表示される。ＥＥＰＲＯＭ１０６ｄは、表示駆動部１０６ａの調整値データを格納するものであり、この調整値データは、システムコントローラ１０８ｂのＲＡＭ部に一度格納され、書き込みが終了したところでＥＥＰＲＯＭ１０６ｄに保存されるものである。また、表示部は別に覗くタイプの小型液晶表示部１０７も構成され、大型液晶表示部１０６と同様に表示駆動部１０７ａ、小型液晶１０７ｂ及びバックライト１０７ｃといった構成になっている。ＥＥＰＲＯＭ１０６ｄや１０７ｄは特に大型液晶表示部１０６や小型液晶表示部１０７内に構成されるものに限るものではなく、制御部１０８のＥＥＰＲＯＭやこれに相当するフラッシュのＲＡＭ部に書き込むようにしてもよい。また、大型液晶１０６ｂと小型液晶１０７ｂを表示駆動する１０６ａや１０７ａは別々に駆動するのではなく、どちらか一方で両方の液晶を駆動しても良い。なお、バックライトは、光源は白色ＬＥＤまたは、冷陰極管を使用して構成することができる。
【００１７】
制御部１０８には、メモリコントローラ１０８ａとシステムコントローラ１０８ｂがあり、メモリコントローラ１０８ａでは、カメラ信号処理部１０３から入力される画像データをフレームメモリに蓄積し、逆にフレームメモリの画像データをカメラ信号処理部１０３に出力する。
【００１８】
システムコントローラ１０８ｂは、各部の動作の制御を行っており、ＡＥ、ＡＷＢ、ＡＦ処理は、全て撮像面のデータを用いてシステムの制御を行う。これらの処理はカメラ信号処理部１０３がデータを供給してやり、メインＣＰＵが演算処理を行い、絞り駆動回路、レンズ駆動回路、及びＣＣＤ駆動回路、カメラ信号の色処理回路、カード画像処理、表示駆動部１０６ａ、１０７ａ、バックライト１０６ｃ、１０７ｃの点灯などを制御する。また、システムコントローラ１０８ｂは、操作部１１１の各種スイッチ（電源スイッチ，モード切り換えスイッチ，再生スイッチ等）の操作状態に応じて各部を制御し、また、必要な情報を表示部１０６、１０７に表示する。また、システムコントローラ１０８ｂは、操作部からのスイッチ操作に基づいて各回路を制御するもので、撮像素子１０２の駆動制御や露出値、フォーカス、ホワイトバランスなどの制御も行う。尚、ここでは、システムコントローラ１０８ｂが撮像装置全体を制御する場合を例示したが、サブＣＰＵとメインＣＰＵとで分担する構成としても良い。
【００１９】
次に、図２を用いて、各動作モードにおける出画タイミングと液晶表示部の表示タイミングの関係について説明する。なお、ここでの出画とは、制御部１０８の制御のもと、映像信号処理部１０４または制御部１０４で生成した画像を液晶表示部に対して出力する動作をいう。
【００２０】
図２（ａ）は、カメラモード時オープニング設定した場合の出画タイミングである。カメラＯＮしてからレンズ処理、撮像素子のキズ補正、ＡＦ、ＡＥなどのデータ初期化などを行っている間は無信号を出力し、上記処理や初期化の後にオープニング画像及びカメラ映像を出画する。図２（ｂ）は、図２（ａ）に対しての表示タイミングを示したものである。この場合のバックライト点灯期間は、無信号期間での処理が終了し、制御部１０８からのオープニング開始のリクエスト信号を受けた後に、オープニング画面が表示されるように、バックライト点灯時間ａが設定される。ここで、バックライト点灯時間では、バックライトが点灯されかつ出画内容に依存しない、液晶表示部で生成された別の映像信号が表示されている時間である。また、バックライト点灯時間が過ぎても引き続きバックライトそのものは点灯しつづけるものである。
【００２１】
図２（ｃ）は、カード動画モードでのオープニング設定した場合の出画タイミングである。オープニング画面中にカードの処理を行いカード記録スタンバイ状態になると表示などで知らせる。図２（ｄ）は、図２（ｃ）に対しての表示タイミングを示したものである。この場合のバックライト点灯期間は、制御部１０８からのオープニング開始のリクエスト信号を受けた後にオープニング画面が表示されるように、バックライトの点灯時間ａが設定される。
【００２２】
図２（ｅ）は、カメラモード時のオープニング設定していない場合の出画タイミングである。図２（ｆ）は、図２（ｅ）に対しての表示タイミングを示したものである。この場合のバックライト点灯時間は、制御部１０８で無信号出画開始のリクエスト信号を受けた後に、一定の間バックライト点灯期間になるように、バックライト点灯期間ｂが設定される。
【００２３】
図２（ｇ）は、カード動画モードでのオープニング設定していない場合の出画タイミングである。図２（ｈ）は、図２（ｇ）に対しての表示タイミングを示したものである。この場合のバックライト点灯期間は、制御部１０８で無信号出画が開始されるリクエスト信号を受けた後に、一定の間バックライト点灯期間になるように、バックライト点灯期間ｂが設定される。
【００２４】
図２（ｉ）は、テープ再生モードの出画タイミングである。図２（ｊ）は、図２（ｉ）に対しての表示タイミングを示したものである。この場合のバックライト点灯期間は、制御部１０８でブルーバック（例えば青色の単色画像）の出画を開始した情報を受けた後に、ブルーバック画像が表示されるように、バックライト点灯期間ｃが設定される。
【００２５】
図２（ｋ）は、カード再生モードの出画タイミングである。図２（ｌ）は、図２（ｋ）に対しての表示タイミングを示したものである。この場合のバックライト点灯期間は、制御部１０８でブルーバックの表示を開始した情報を受けた後に、ブルーバック画像が表示されるように、バックライト点灯期間ｃが設定される。
【００２６】
図２（ｍ）は、カメラや再生などの電源タイミングチャートである。図２（ｎ）は、液晶の電源タイミングチャートで、電源がＯＮしたタイミングからバックライトの点灯期間を設定する。
【００２７】
次に、制御部１０８と液晶表示部１０６及び１０７で実行される制御及び設定の流れを、図３のフローチャートを用いて説明する。
【００２８】
まず、制御部１０８は、電源ＯＮを検出し、システム全体の起動を開始する（Ｓ３０１）。そして、動作モード選択部１１０の状態から動作モードを判断し、その動作モードに応じた、液晶表示部の点灯時間情報を読み出す（Ｓ３０２）。動作モードと点灯時間情報との関係は、図示しないシステムコントロール部１０８ｂのＲＯＭ部に、テーブルとして保持しておくことができる。
【００２９】
読み出された情報は、システムコントロール部１０８ｂのＲＡＭ部に一旦格納した後、液晶表示部のＥＥＰＲＯＭに対して送信し、どのリクエスト信号が送られたときに点灯時間終了とするか、といった条件を設定する（Ｓ３０３）。
【００３０】
液晶表示部の液晶駆動回路は、液晶電源がＯＮされたか否かを判断し（Ｓ３０４）、液晶電源がＯＮされない場合は点灯を待機し（Ｓ３０５）、液晶電源がＯＮされた場合は、バックライトを点灯させる（Ｓ３０６）。
【００３１】
そして、システムコントロール部１０８から送られてくるリクエスト信号と、受信して格納されたＥＥＰＲＯＭの点灯時間情報に基づき、バックライトの点灯時間が終了したか否かを判断し（Ｓ３０７）、点灯時間が終了したと判断したら、点灯時間に関する制御を終了させ、出画された映像の表示等に移行する。
【００３２】
以上のフローチャートのステップは、前半を制御部１０８が実行し、後半を液晶表示部が実行するようにしたが、これに限るものではなく、全てのステップを制御部１０８が実行するように構成してもよい。
【図面の簡単な説明】
【００３３】
【図１】本実施形態の記録再生装置の内部構成を示すブロック図である。
【図２】本実施形態の各動作モードにおける出画タイミングと液晶表示部の表示タイミングの関係について説明する図である。
【図３】本実施形態の表示制御を説明するためのフローチャートである。
【図４】従来の各動作モードにおける出画タイミングと液晶表示部の表示タイミングの関係について説明する図である。
【符号の説明】
【００３４】
１０１  レンズ
１０２  撮像素子
１０３  カメラ信号処理
１０４  映像信号処理部
１０６  大型液晶部
１０６ａ  液晶駆動回路
１０６ｂ  大型液晶パネル
１０６ｃ  バックライト
１０６ｄ  ＥＥＰＲＯＭ
１０７  小型液晶部
１０７ａ  液晶駆動回路
１０７ｂ  小型液晶パネル
１０７ｃ  バックライト
１０７ｄ  ＥＥＰＲＯＭ
１０８  制御部
１０８ａ  メモリコントロール
１０８ｂ  システムコントロール
１０９  ＯＳＤコントロール
１１０  動作モード選択キー
１１１  カード記録再生部
１１２  テープ記録再生部
【図１】
2006165648.tif 000003
【図２】
2006165648.tif 000004
【図３】
2006165648.tif 000005
【図４】
2006165648.tif 000006